(57)【要約】      （修正有）【課題】充電器において塵埃等の外部の異物から充電端子を保護し、充電される側の電子機器が載置された時に充電端子を露出させる充電端子部の構造を提供する。【解決手段】自充電器に斜面を有する突起構造を有し、斜面を有する突起構造によって連動するカバー部、斜面を有する突起構造に連動して開口部から露出する充電端子３１を設けることによって、電子機器載置時に斜面を有する突起構造が水平方向を移動することに連動してカバー部が開口し、斜面を有する突起構造に連動することによって充電端子が露出し電子機器の受電端子に接触するため充電でき、電子機器を外したときには斜面を有する突起構造が元の場所に戻ることに連動してカバー部が閉口し、斜面を有する突起構造に連動して充電端子が下がるため、充電端子を塵埃等の異物から保護できる。【選択図】図２
0003171244.tif 000002
【実用新案登録請求の範囲】
【請求項１】
充電可能な電子機器を充電する充電器における充電端子部の構造であって、
自充電器に載置される前記電子機器の端面に対応する部位に形成された斜面を有する突起構造と、前記電子機器が備える受電端子と接触する端子構造と、自充電器に前記電子機器が載置されていない場合に前記端子構造を覆う端子カバー構造と、を有し、
前記電子機器が前記斜面を押しながら載置されると、前記突起構造は初期位置から前記電子機器が載置される面である載置面の水平方向を移動し、前記端子カバー構造は前記突起構造の水平方向の移動に連動して前記端子構造の開口部を開き、前記端子構造は前記突起構造の水平方向の移動に連動して前記電子機器が備える受電端子と接触する方向へ上昇し、
前記電子機器が自充電器から取り外されると、前記突起構造は前記載置面の水平方向を移動し前記初期位置に戻り、前記端子構造は前記突起構造の水平方向の移動に連動して前記載置面から露出しない方向へ下降し、前記端子カバー構造は前記突起構造の水平方向の移動に連動して前記端子構造の開口部を閉じることを特徴とする充電端子カバーを有する充電器の充電端子部の構造。
【請求項２】
請求項１に記載の充電端子部の構造であって、
前記突起構造と前記端子カバー構造を一体化したことを特徴とする充電端子カバーを有する充電器の充電端子部の構造。
【考案の詳細な説明】
【技術分野】
【０００１】
本考案は、電子機器における充電端子の構造に関するものである。
【背景技術】
【０００２】
従来の充電器の端子構造は、常に充電端子が露出している状態であり、塵埃等の異物が付着して接触不良が発生し易いという欠点があった。
これを改善する技術として、充電される電子機器側の受電端子と充電器側の充電端子を摺動させて異物を掻き出すことにより、接触不良を防止する技術がある（例えば特許文献１）。
【先行技術文献】
【特許文献】
【０００３】
【特許文献１】特開平０８−０９７８９０号公報
【考案の概要】
【考案が解決しようとする課題】
【０００４】
しかしながら、特許文献１に記載された充電端子は充電器表面より露出しており、非充電時においては外部からの塵埃等の異物が付着したままであり、長時間放置されると充電端子に塵埃等の異物の一部が固着してしまい、接触不良の原因となる異物を、受電端子と充電端子の摺動では除去できない可能性があった。
【０００５】
そこで、本考案の課題は、充電器において塵埃等の外部の異物から充電端子を保護し、充電される側の電子機器が載置された時に充電端子を露出させる充電端子部の構造を提供することにある。
【課題を解決するための手段】
【０００６】
上記の課題を解決するために本考案は、充電可能な電子機器を充電する充電器における充電端子部の構造であって、自充電器に載置される前記電子機器の端面に対応する部位に形成された斜面を有する突起構造と、前記電子機器が備える受電端子と接触する端子構造と、自充電器に前記電子機器が載置されていない場合に前記端子構造を覆う端子カバー構造と、を有し、前記電子機器が前記斜面を押しながら載置されると、前記突起構造は初期位置から前記電子機器が載置される面である載置面の水平方向を移動し、前記端子カバー構造は前記突起構造の水平方向の移動に連動して前記端子構造の開口部を開き、前記端子構造は前記突起構造の水平方向の移動に連動して前記電子機器が備える受電端子と接触する方向へ上昇し、前記電子機器が自充電器から取り外されると、前記突起構造は前記載置面の水平方向を移動し前記初期位置に戻り、前記端子構造は前記突起構造の水平方向の移動に連動して前記載置面から露出しない方向へ下降し、前記端子カバー構造は前記突起構造の水平方向の移動に連動して前記端子構造の開口部を閉じることを特徴とする。
【考案の効果】
【０００７】
本考案によれば、充電される側の電子機器による載置動作と連動するスライドカバーによって充電端子を外部から隔離するため、電子機器の着脱性を阻害せずに、非充電時に、接触不良の原因となる塵埃等の外部の異物から充電端子を保護することが可能な、充電器における充電端子部の構造を提供できる。
【図面の簡単な説明】
【０００８】
【図１】本考案による一実施例を示す図
【図２】図１のＡ−Ｂ−Ｃ線に沿った充電端子保護状態における充電器筐体の断面の斜視図
【図３】斜面を持つ突起構造を有するスライドカバーの詳細図
【図４】図１のＡ−Ｂ−Ｃ線に沿った充電端子露出状態における充電器筐体の断面の斜視図
【考案を実施するための形態】
【０００９】
以下、図面を参照して本考案の実施の形態について詳細を説明する。
【００１０】
図１は、本考案による一実施例を示す図であり、コードレス電話機を例として説明する。１１は電話機筐体、１２は充電器筐体、１３はアンテナ、２１は斜面を持つ突起構造を有するスライドカバーである。本考案は充電器に関するものであるため、コードレス電話機のボタン、ＬＣＤ等は省略する。
充電器筐体１２は斜面を持つ突起構造を有するスライドカバー２１が水平方向を移動することによって端子部を開閉することが可能である。以下詳細を説明する。
【００１１】
図２は、図１のＡ−Ｂ−Ｃ線に沿った充電端子保護状態における充電器筐体の断面の斜視図である。１２は充電器筐体、２１は斜面を持つ突起構造を有するスライドカバー、２２はＬ字フック、２３はフック押さえ、２４は端子プレート、３１は充電端子、３２は端子押さえである。図２は、充電端子を見やすくするため、端子押さえ３２をワイヤープレーム表示としたものである。
【００１２】
図３は、斜面を持つ突起構造を有するスライドカバー２１を矢視Ｄから見た詳細図である。２１１はスライドカバーの斜面を持つ突起構造、２１２はスライドカバーの一部で端子部の開口部を覆うカバー部、２１３はスライドカバーの一部でＬ字フックを押す突起である。
電子機器を載置していない図２の状態では、充電端子３１が充電器筐体１２の内部に収納されており、かつスライドカバーの一部で端子部の開口部を覆うカバー部２１２が端子部の開口部を閉じているため、塵埃等の外部からの異物が充電端子３１に接触することを防いでいる。
【００１３】
図４は、図１のＡ−Ｂ−Ｃ線に沿った充電端子露出状態における充電器筐体の断面の斜視図である。図２の充電器筐体１２に電子機器を載置することによって、図４に示すように電子機器が自重によって、スライドカバーの斜面を持つ突起構造２１１を押しながら載置されると斜面を持つ突起構造を有するスライドカバー２１を水平方向移動させ、スライドカバーの一部で端子部の開口部を覆うカバー部２１２が端子部の開口部を開き、スライドカバーの一部でＬ字フックを押す突起２１３がＬ字フック２２を押し、Ｌ字フック２２はフック押さえ２３を支点として回転し、回転したＬ字フック２２が端子プレート２４を押し上げ、端子プレート２４は充電端子３１を押し上げ露出させ、電子機器の受電端子と接触するため、充電を行うことが可能となる。充電端子３１は誤った方向への変形を防ぐため、端子押さえ３２によってガイドされている。
【００１４】
また、充電後に電子機器を充電器筐体１２から外すと端子プレート２４は自重によって下がり、端子プレート２４が自重によって下がることによってＬ字フック２２を回転させ、Ｌ字フック２２の回転によって斜面を持つ突起構造を有するスライドカバー２１を元の位置に戻す。斜面を持つ突起構造を有するスライドカバー２１が元の位置に戻ることによってスライドカバーの一部で端子部の開口部を覆うカバー部２１２が端子部の開口部を閉じ、充電端子３１は、ばね性によって元の位置である図２の状態に戻る。この機構を用いることで非充電時にはスライドカバーの一部で端子部の開口部を覆うカバー部２１２が端子部の開口部を閉じることによって充電端子３１を外部から隔離するため、電子機器の着脱性を阻害せずに充電端子３１への塵埃等の外部からの異物の接触から保護される効果がある。
【００１５】
上記はあくまでも一実施例であり、斜面を有する突起構造に連動して端子開口部の開閉が出来ていれば良く、スライドカバーと斜面を有する突起構造が一体化してない形態、端子開口部の開閉に歯車、ラックアンドピニオン、ばね、ベルト等を用いることもある。
【００１６】
以下、従来の構造と対比して、本考案の作用と効果を説明する。
従来構造では電子機器を充電器に載置すると電子機器の充電端子が充電器の受電端子を摩擦することで充電端子及び受電端子の表面の付着物を取ることが可能である。しかしながら従来構造の充電端子は常時露出しており、長時間放置すると塵埃等の外部からの異物の接触のため充電時の抵抗増大により充電が不可となってしまう可能性がある。また、充電器には充電端子を露出させるための開口部があり、この開口部から異物が侵入する問題点もある。
【００１７】
これに対し、充電器筐体１２は電子機器を載置する場合には図２にあるとおり斜面を持つ突起構造を有するスライドカバー２１の一部であり、図３のスライドカバーの一部で端子部の開口部を覆うカバー部２１２が端子部の開口部を開き、充電端子３１が電子機器の受電端子と接触し充電する。一方、電子機器が載置されない場合には図３のスライドカバーの一部で端子部の開口部を覆うカバー部２１２が端子部の開口部を閉じ充電端子３１を隔離するため、充電端子３１は電子機器の着脱性を阻害せずに塵埃等の外部の異物からの接触から保護される効果がある。
【００１８】
以上説明した通り、本考案によれば、充電器筐体１２から電子機器を載置しない場合において、充電端子３１を塵埃等の外部の異物の接触から保護できる充電端子部の構造を提供できる。また、コードレス電話機による本実施例は一例であり、充電端子と受電端子にて充電を行う機構を持つもの、例えば携帯電話、ＬＥＤライト、二次電池の充電機構等に用いても良い。
【符号の説明】
【００１９】
１１    電話機筐体
１２    充電器筐体
１３    アンテナ
２１    斜面を持つ突起構造を有するスライドカバー
２２    Ｌ字フック
２３    フック押さえ
２４    端子プレート
３１    充電端子
３２    端子押さえ
２１１  スライドカバーの斜面を持つ突起構造
２１２  スライドカバーの一部で端子部の開口部を覆うカバー部
２１３  スライドカバーの一部でＬ字フックを押す突起
【図１】
0003171244.tif 000003
【図２】
0003171244.tif 000004
【図３】
0003171244.tif 000005
【図４】
0003171244.tif 000006